(57)【特許請求の範囲】
【請求項１】
長尺の布を幅方向に重ね折りしてなる帯本体と、この帯本体にその長さ方向へ移動可能
に取り付けた衿幅相当の環状帯とより構成し、前記帯本体は、これを対丈の上から腰まわ
りに巻き付けたとき、長着の衽線と一致する重ね縫いによる衽線を有し、前記環状帯は、
帯本体を長着の上から腰まわりに巻き付けたとき、対丈の長着の衿幅相当の同じ幅を有し
ていることを特徴とするお端折りベルト。
【発明の詳細な説明】
【技術分野】
【０００１】
本発明は、女性の着物の装着に使用するお端折りベルトに関するものである。
【背景技術】
【０００２】
従来、着物の着付けをする場合、図８に示すように、裾をたくし上げて腰紐で結び、ウ
エスト部分に余りの部分のお端折りを出し、胸紐、伊達巻を結び、その上から帯板をあて、帯を結び、帯締め、帯揚げ等をして仕上げていた。例えば、特許分献１のような簡易着物が提案されている。この簡易着物は、着用するだけで面倒な着付けを必要としないものである。
【０００３】
このように、着物着付けを容易にする簡易着物が従来より種々存在するが、ウエスト部
分にたくし上げたお端折りを縫っているため、簡易着物は、簡単装着の便利性を唱え利用
者の購買意欲をそそる工夫はなされている。しかし、お端折りを縫うようなことは、着物
を損傷することになり好ましくない。
【先行技術文献】
【特許文献】
【０００４】
【特許文献１】特開第2005-344244号公報
【発明の概要】
【発明が解決しようとする課題】
【０００５】
女性着物（長着）は、通常、裾を足首あたりまで、たくし上げて腰紐で形を整えて着付けをしていた。簡易着物は、お端折り分を縫い付けて平易に着られるが、お端折り分を縫いつけたものは、たたむ時も胴が二重になって縫い合わされているため、たたんだ後ふくらみが出て収納しずらいものであった。
【０００６】
そこで、本発明は着物の簡単な着付けを可能にするお端折りベルトを提供することを目的とする。
【課題を解決するための手段】
【０００７】
上記の目的を達成するために、本発明が提供するお端折りベルトは、長尺の布を幅方向
に重ね折りしてなる帯本体と、この帯本体にその長さ方向へ移動可能に取り付けた衿幅相
当の環状帯とより構成し、前記帯本体は、これを対丈の長着の上から腰まわりに巻き付け
たとき、長着の衽線と一致する重ね縫いによる衽線を有し、前記環状帯は、帯本体を長着
の上から腰まわりに巻き付けたとき、対丈の長着の衿幅と同じ幅を有していることを特徴
とするものである。
【発明の効果】
【０００８】
本発明のお端折りベルトは、浴衣のみならず生地の規制もなく正絹等、高級な格調高い
留袖や訪問着なども自ら着付けることが可能となり、たたみ方も従来と変らず、すっきり
と収納できるので、おそらく着付けの利用度が増え着物を着る人口も従来以上に増すであ
ろう予測が容易にできる。
【０００９】
さらに、本発明のお端折りベルトは、今まで着付けから遠ざかっていた婦人や、仕事に
追われて着付け方の知らない若い女性にも、簡単に手早く洋服感覚で装着することができ
る。
【図面の簡単な説明】
【００１０】
【図１】本発明の実施例のお端折りベルトの斜視図である。
【図２】図１のお端折りベルトの使用状態を示す正面図である。
【図３】図２のお端折りベルトの上に帯をしめた状態を示す正面図である。
【図４】図３の断面を模式的に示す図である。
【図５】従来の着付けの断面を模式的に示す図である。
【発明を実施するための形態】
【００１１】
以下、図面を参照しながら本発明の実施形態を実施例によって説明する。
実施例のお端折りベルト１は、図１〜図５に示すように、長尺の布を幅方向に重ね折り
してなる帯本体２と、この帯本体２にその長さ方向へ移動可能に取り付けた衿幅相当の環
状帯７とより構成し、前記帯本体２は、これを対丈２０の上から腰まわりにまき付けたと
き、長着の衽線１８と一致する重ね縫いによる衽線５を有し、前記環状帯７は、帯本体２
を長着の上から腰まわりに巻きつけたとき、対丈２０の長着の衿幅１０の延長した幅相当
を有しているものである。
本発明のお端折りベルト１は、対丈２０にして上前１２と下前１１を合わせ、腰紐２４
で結び、お端折りの位置に左前身頃の衽線１８に衽線５を合わせ、衿下１９が環状帯７の
中央部にくるように位置合わせをする。
お端折りベルト１は、上記のような構成となっているので、これを使用して着物の着付
けをする場合は、例えば、図４の断面図に示す要領で行う。
（１）まず、長襦袢を着用後、対丈の着物２０の下前１１と上前１２を合わせ、腰骨より   
２〜３センチ上に腰紐２４を真一文字、又はやや左下がりに当てて締める。
（２）つぎに、右手は上前、下前の掛衿８、９をもち、左手は背中心をもって２〜３回
しごき、衿元をおちつかせる。
（３）つぎに、長襦袢の衿が１、５ｍｍ〜１ｃｍ（着物の種類、体型によって異なる）見
えるようにして、上前１２、下前１１の衿を合わせ、胸紐２５を結ぶ。
（４）つぎに、胸元のしわを取り、背中心をおさえて、背のしわの整理並びに脇縫１５、
１６の余り分の始末をする。
（５）つぎに、帯本体２をあて、衽線１８がベルトの５と上下一本になる様に確かめ、環
状帯７を動かしてバランスよく位置合わせをする。以降は、従来通りの着付け手順
に従う。なお、１７は衽線である。
図２に示すように、お端折り領域にお端折りベルト１をすることにより、従来作業していた、たくし上げや上前、下前等の整えが容易に手早く着付けを行うことができる。
さらに、図示していないがベルト本体の脇縫い３、４に伸縮自在のゴムや、両端にマジ
ックテープ（登録商標）またはスナップを構成上もうけてもよい。また、脇縫い３、４を省略して縫い目のない帯本体に作製することも可能である。お端折りヘ゛ルト１の幅は、体型により異なる為、考慮して構成するものとする。
【００１２】
また、図1、図2から明らかなように、環状帯７は従来襟合わせをした延長線から形成されている為、四角形ではなく、お端折りを仮定して、やや台形に近い形と、衿下を考慮した襟幅にして違和感のない形状としている。
【００１３】
このような帯本体２は、視覚的には、なんら問題もなく、帯本体２と伊達巻や帯板等一
つに合わせた簡易式の工夫を考慮した美しい着付けも可能である。
【００１４】
本発明のお端折りベルトは、着物生地と同じ素材または違う素材を使用し、芯地になる
部分にはシワにならないものを使用する。また、フェルト等のお端折りの外形を維持する材質を使用することができる。
【００１５】
衿とお端折りベルトを同じ色、または柄にしてファッション性を高めることができる。
または、前身ごろとお端折りの色を変えて楽しむことができる。その他、お端折りベルトは、さまざまなバリエーションの可能性を持つことができる。また、従来既製の着物及び浴衣などの在庫品などは、お端折りベルト相当に丈を切り仕立て直し、販売することも可能である。
【符号の説明】
【００１６】
１                    お端折りベルト
２                    帯本体
３、４                脇縫い
５                    衽線
６                    衽幅      
７                    環状帯        
８、９                掛衿  
１０                  衿幅    
１１                  下前
１２                  上前
１３、１４            身八つ口                  
１５、１６            脇縫い                  
１７、１８            衽線        
１９                  衿下        
２０                  対丈
２１                  帯揚げ
２２                  帯
２３                  帯締め
２４                  腰紐
２５                  胸紐            
２６                  伊達巻          
２７                  帯板            
２８                  お端折り    
【要約】      （修正有）【課題】着物の簡単な着付けを可能にするお端折りベルト、及びお端折りクリップを提供する。【解決手段】長尺の布を幅方向に重ね折りしてなる帯本体２と、この帯本体にその長さ方向へ移動可能に取り付けた衿幅相当の環状帯７とより構成し、前記帯本体２は、これを対丈の上から腰まわりに巻き付けたとき、長着の衽線と一致する重ね縫いによる衽線５を有し、前記環状帯７は、帯本体２を長着の上から腰まわりに巻き付けたとき、対丈の長着の衿幅相当の同じ幅を有していることを特徴とするお端折りベルト。【選択図】図１【図１】
0004648478.tif 000002
【図２】
0004648478.tif 000003
【図３】
0004648478.tif 000004
【図４】
0004648478.tif 000005
【図５】
0004648478.tif 000006